(57)【要約】【課題】グロープラグにおける通電耐久性および急速昇温性能を向上させる。【解決手段】グロープラグ（１０）は、筒状のシースチューブ（８１０）と、螺旋状に巻回された素線を備えシースチューブ内に収納されて通電により発熱する通電コイル（８２０，８３０）と、シースチューブ内において通電コイルの周囲に充填された絶縁粉末（８４０）と、を備えるヒータ素子（８００）を有する。通電コイルは、素線における軸線を含む断面の形状が巻回方向に変化する部位であって、コイル一巻きの間に断面の形状が略円形、略楕円形、略円形と変化する第１の不均一部、および、コイル一巻きの間に前記断面の形状が略楕円形、略円形、略楕円形と変化する第２の不均一部、から選択される不均一部を有する。略円形は、短径の長さに対する長径の長さの比の値が１．０〜１．２であり、楕円形は、短径の長さに対する長径の長さの比の値が１．４以上である。【選択図】図３
2016011802.tif 000002
【特許請求の範囲】
【請求項１】
軸線方向に延びて先端が閉じられた筒状のシースチューブと、螺旋状に巻回された素線を備え前記シースチューブ内に収納されて通電により発熱する通電コイルと、前記シースチューブ内において前記通電コイルの周囲に充填された絶縁粉末と、を備えるヒータ素子を有するグロープラグにおいて、
前記通電コイルは、前記素線における前記軸線を含む断面の形状が巻回方向に変化する部位であって、コイル一巻きの間に前記断面の形状が略円形、略楕円形、略円形と変化する第１の不均一部、および、コイル一巻きの間に前記断面の形状が略楕円形、略円形、略楕円形と変化する第２の不均一部、から選択される不均一部を有し、
前記略円形は、短径の長さに対する長径の長さの比の値が１．０〜１．２であり、
前記楕円形は、短径の長さに対する長径の長さの比の値が１．４以上であることを特徴とする
グロープラグ。
【請求項２】
請求項１記載のグロープラグであって、
前記不均一部のうち前記断面の形状が略楕円形である箇所における前記断面の前記長径は、前記軸線方向に平行であることを特徴とする
グロープラグ。
【請求項３】
請求項１または２に記載のグロープラグであって、
該グロープラグは、前記シースチューブ内において、前記シースチューブの先端側に配置された発熱コイル部と、該発熱コイル部と直列に接続されて該発熱コイル部の後端側に配置され、該発熱コイル部よりも正の抵抗温度係数が大きい制御コイル部と、を備え、
前記通電コイルは、前記発熱コイル部と前記制御コイル部とのうちの少なくとも一方であることを特徴とする
グロープラグ。
【請求項４】
請求項３に記載のグロープラグであって、
前記通電コイルは、前記発熱コイル部または前記制御コイル部であり、
前記通電コイルは、総巻数の１０％以上において、前記不均一部を有することを特徴とする
グロープラグ。
【発明の詳細な説明】
【技術分野】
【０００１】
本発明は、グロープラグに関するものである。
【背景技術】
【０００２】
グロープラグが備えるヒータとして、先端部が閉塞した円筒状のシースチューブと、シースチューブ内に配置されて通電により発熱する発熱コイルと、を備えるヒータ素子が知られている。このようなグロープラグは、例えば、ディーゼルエンジン等の内燃機関の始動時等における着火を補助する熱源として用いられ、上記発熱コイルに通電してヒータを昇温させることにより、熱源として機能する（例えば、特許文献１参照）。
【先行技術文献】
【特許文献】
【０００３】
【特許文献１】国際公開第２０１３／１５７２６６号パンフレット
【発明の概要】
【発明が解決しようとする課題】
【０００４】
発熱コイルにおいて大電流が流れる場合など、発熱コイルが過剰に昇温する場合には、発熱コイルが損傷（溶損）し、例えば発熱コイルの断線が引き起こされる場合がある。そのため、発熱コイルへの通電による発熱の動作を繰り返すグロープラグでは、さらなる通電耐久性の向上（通電を繰り返しても、より長く性能が維持されること）が望まれていた。また、グロープラグにおいては、上記のように通電耐久性を向上させつつ、さらに、内燃機関の始動性向上のための急速昇温性能（内燃機関でより速く着火させるためにグロープラグがより速く昇温する性能）の向上が望まれている。
【課題を解決するための手段】
【０００５】
本発明は、上述の課題の少なくとも一部を解決するためになされたものであり、以下の形態として実現することが可能である。
【０００６】
（１）本発明の一形態によれば、軸線方向に延びて先端が閉じられた筒状のシースチューブと、螺旋状に巻回された素線を備え前記シースチューブ内に収納されて通電により発熱する通電コイルと、前記シースチューブ内において前記通電コイルの周囲に充填された絶縁粉末と、を備えるヒータ素子を有するグロープラグが提供される。このグロープラグにおいて、前記通電コイルは、前記素線における前記軸線を含む断面の形状が巻回方向に変化する部位であって、コイル一巻きの間に前記断面の形状が略円形、略楕円形、略円形と変化する第１の不均一部、および、コイル一巻きの間に前記断面の形状が略楕円形、略円形、略楕円形と変化する第２の不均一部、から選択される不均一部を有する。前記略円形は、短径の長さに対する長径の長さの比の値が１．０〜１．２であり、前記楕円形は、短径の長さに対する長径の長さの比の値が１．４以上である。
この形態のグロープラグによれば、コイル一巻きの間に、素線の断面形状が、略円形、略楕円形、略円形、あるいは、略楕円形、略円形、略楕円形と変化する不均一部を有する通電コイルを備えるため、通電コイルと絶縁粉末との接触を、より十分に確保可能となり、グロープラグの通電耐久性および急速昇温性能を向上させることができる。
【０００７】
（２）上記形態のグロープラグにおいて、前記不均一部のうち前記断面の形状が略楕円形である箇所における前記断面の前記長径は、前記軸線方向に平行であることとしてもよい。
この形態のグロープラグによれば、通電コイルからシースチューブへの放熱量を、より多くできるため、シースチューブの昇温を促進し、通電コイルの過剰な昇温を抑えることができる。そのため、通電耐久性および急速昇温性能を向上させる効果を高めることができる。
【０００８】
（３）上記形態のグロープラグは、前記シースチューブ内において、前記シースチューブの先端側に配置された発熱コイル部と、該発熱コイル部と直列に接続されて該発熱コイル部の後端側に配置され、該発熱コイル部よりも正の抵抗温度係数が大きい制御コイル部と、を備え；前記通電コイルは、前記発熱コイル部と前記制御コイル部とのうちの少なくとも一方であることとしてもよい。
この形態のグロープラグによれば、発熱コイル部と制御コイル部とのうちの少なくとも一方に不均一部を設けることにより、グロープラグの通電耐久性および急速昇温性能を向上させることができる。
【０００９】
（４）上記形態のグロープラグにおいて、前記通電コイルは、前記発熱コイル部または前記制御コイル部であり、前記通電コイルは、総巻数の１０％以上において、前記不均一部を有することとしてもよい。
この形態のグロープラグによれば、発熱コイル部と制御コイル部のいずれかに不均一部を設けることにより、グロープラグの通電耐久性および急速昇温性能を向上させることができる。特に、コイルを構成する材料の融点近くまで昇温されるコイル部に不均一部を設ける場合には、グロープラグの通電耐久性および急速昇温性能を向上させる効果を特に高めることができる。
【００１０】
本発明は、上記以外の種々の形態で実現可能であり、例えば、グロープラグの製造方法、グロープラグ用ヒータ素子、およびヒータ素子の製造方法などの形態で実現することが可能である。
【図面の簡単な説明】
【００１１】
【図１】グロープラグを示す説明図である。
【図２】ヒータ素子の詳細な構成を示す説明図である。
【図３】図２において領域Ａとして破線で囲んで示した領域を示した説明図である。
【図４】発熱コイルの一部分の外観を拡大して模式的に示す斜視図である。
【図５】グロープラグの製造方法を示す工程図である。
【図６】発熱コイルと絶縁粉末との間に隙間が生じる様子を模式的に表わす説明図である。
【図７】発熱コイルの断面における「長径／短径」の値と評価結果とをまとめて示す説明図である。
【図８】制御コイルの断面における「長径／短径」の値と評価結果とをまとめて示す説明図である。
【図９】制御コイルにおける不均一部の巻数の割合と評価結果とをまとめて示す説明図である。
【図１０】発熱コイルにおける不均一部の巻数の割合と評価結果とをまとめて示す説明図である。
【発明を実施するための形態】
【００１２】
Ａ．第１の実施形態：
（Ａ−１）グロープラグの全体構成：
図１は、本発明の第１の実施形態としてのグロープラグ１０を示す説明図である。本実施形態のグロープラグ１０は、ディーゼルエンジンを始めとする内燃機関の始動時等における着火を補助する熱源として機能する。図１に示すように、グロープラグ１０は、主な構成要素として、通電によって発熱するヒータ素子８００と、主体金具５００と、中軸２００と、を備える。図１では、グロープラグ１０の軸線Ｏから紙面右側に外観構成を図示し、軸線Ｏから紙面左側に断面構成を図示した。なお、本明細書では、グロープラグ１０において軸線Ｏに沿ってヒータ素子８００側を「先端側」と呼び、中軸２００側を「後端側」と呼ぶ。
【００１３】
主体金具５００は、炭素鋼を筒状に成形した部材である。主体金具５００は、先端側の端部においてヒータ素子８００を保持する。主体金具５００は、後端側の端部において絶縁部材４１０とオーリング４６０とを介して中軸２００を保持する。絶縁部材４１０は、絶縁部材４１０の後端に接するリング３００が中軸２００に加締められることで、軸線Ｏ方向の位置が固定される。この絶縁部材４１０によって、主体金具５００と中軸２００との間が電気的に絶縁される。主体金具５００は、絶縁部材４１０からヒータ素子８００に至る中軸２００の部位を内包する。主体金具５００は、工具係合部５２０と、雄ネジ部５４０とを備え、内部に軸孔５１０が形成されている。
【００１４】
工具係合部５２０は、グロープラグ１０の取り付けと取り外しとに用いられる工具（図示しない）に係合する。雄ネジ部５４０は、内燃機関（図示しない）に形成された雌ネジに嵌り合う。軸孔５１０は、軸線Ｏに沿って形成された貫通孔であり、中軸２００の外径よりも大きな内径を有する。軸孔５１０に中軸２００が位置決めされた状態で、軸孔５１０と中軸２００との間には、両者を電気的に絶縁する空隙が形成される。軸孔５１０の先端側には、ヒータ素子８００が圧入されて接合されている。
【００１５】
中軸２００は、導電材料を円柱状に成形した部材である。中軸２００は、主体金具５００の軸孔５１０に挿入されて、軸線Ｏに沿って組み付けられる。中軸２００は、先端側に形成された中軸先端部２１０と、後端側に設けられた接続部２９０とを備える。中軸先端部２１０は、ヒータ素子８００の内部に挿入される。接続部２９０は、主体金具５００から突出している。接続部２９０には、係合部材１００が嵌り合う。
【００１６】
（Ａ−２）ヒータ素子の構成：
図２は、ヒータ素子８００の詳細な構成を示す説明図である。ヒータ素子８００は、シースチューブ８１０と、発熱体としての発熱コイル８２０と、制御コイル８３０と、絶縁粉末８４０とを備える。図２では、シースチューブ８１０は断面を示し、発熱コイル８２０および制御コイル８３０は外観を示している。
【００１７】
シースチューブ８１０は、軸線Ｏ方向に延び、先端が閉塞した筒状部材であり、例えばステンレス鋼により形成される。シースチューブ８１０の内部には、発熱コイル８２０と、制御コイル８３０と、絶縁粉末８４０とが配置されている。シースチューブ８１０は、シース管先端部８１１とシース管後端部８１９とを備える。シース管先端部８１１は、シースチューブ８１０の先端側において、先端に向かって次第に縮径しつつ外側に向けて丸く形成された部分の端部である。シース管後端部８１９は、シースチューブ８１０の後端側において開口した端部である。シース管後端部８１９からシースチューブ８１０の内部に中軸２００の先端側が挿入されている。シースチューブ８１０は、パッキン６００と絶縁粉末８４０とによって、中軸２００から電気的に絶縁される。パッキン６００は、中軸２００とシースチューブ８１０との間に挟まれた絶縁部材である。シースチューブ８１０は、主体金具５００と電気的に接続されている。シースチューブ８１０は、横断面（軸線Ｏに垂直な断面）における外径が軸線Ｏ方向にわたって一定であるストレート部８６０と、ストレート部８６０よりも先端側に、ストレート部８６０に連続して次第に縮径するように形成されて、シース管先端部８１１を含む縮径部８６５と、を備える。
【００１８】
発熱コイル８２０は、導電性材料で形成された螺旋状のコイルである。発熱コイル８２０は、シースチューブ８１０の内側に軸線Ｏ方向に沿って配置され、通電によって発熱する。発熱コイル８２０は、先端側の端部である発熱コイル先端部８２１と、後端側の端部である発熱コイル後端部８２９とを備える。発熱コイル８２０の先端部分がシースチューブ８１０に溶接されることにより、シースチューブ８１０の先端付近には、発熱コイル８２０とシースチューブ８１０とが溶融して形成された溶融部８５０が形成され、発熱コイル８２０はシースチューブ８１０と電気的に接続される。発熱コイル先端部８２１は、発熱コイル８２０と溶融部８５０との境界に相当する。なお、本実施形態では、発熱コイル８２０が、「課題を解決するための手段」における「通電コイル」に相当する。
【００１９】
制御コイル８３０は、発熱コイル８２０の後端側に配置され、発熱コイル８２０を形成する材料よりも、正の抵抗温度係数が大きい導電材料（例えば、コバルトやニッケル、あるいはこれらの金属を主成分とする合金）で形成された螺旋状のコイルである。そのため制御コイル８３０は、温度が上昇するに従い抵抗値が大きくなる性質を有しており、この性質により、発熱コイル８２０に供給される電力を制御する。制御コイル８３０は、先端側の端部である制御コイル先端部８３１と、後端側の端部である制御コイル後端部８３９とを備える。制御コイル先端部８３１は、発熱コイル８２０の発熱コイル後端部８２９に溶接されることによって、発熱コイル８２０と電気的に接続される。制御コイル後端部８３９は、中軸２００の中軸先端部２１０に接合されることによって中軸２００と電気的に接続される。
【００２０】
絶縁粉末８４０は、電気絶縁性を有する粉末である。絶縁粉末８４０としては、例えば、酸化マグネシウム（ＭｇＯ）の粉末を用いることができる。絶縁粉末８４０は、シースチューブ８１０の内側に充填され、シースチューブ８１０と、発熱コイル８２０と、制御コイル８３０と、中軸２００との各隙間を電気的に絶縁する。
【００２１】
（Ａ−３）発熱コイルの構成：
図３は、図２において領域Ａとして破線で囲んで示した領域を拡大し、シースチューブ８１０および発熱コイル８２０の断面を示した説明図である。より具体的には、図３では、ヒータ素子８００における軸線Ｏ方向の中心線を含む断面を表わす。なお、本実施形態では、ヒータ素子８００の中心線は、グロープラグ１０の軸線Ｏに一致している。以下では、発熱コイル８２０の素線の断面であって、ヒータ素子８００における軸線Ｏを含む断面で露出する断面を、単に、発熱コイル８２０の素線の断面、あるいは、発熱コイル８２０の断面とも呼ぶ。なお、発熱コイル８２０の素線の断面とは、発熱コイル８２０の素線の伸長方向に垂直な断面ということもできる。また、制御コイル８３０においても同様に、制御コイル８３０の素線の断面であって、ヒータ素子８００における軸線Ｏを含む断面で露出する断面を、単に、制御コイル８３０の素線の断面、あるいは、制御コイル８３０の断面とも呼ぶ。
【００２２】
図３に示すように、本実施形態のグロープラグ１０では、発熱コイル８２０の断面の形状が不均一に形成されている。すなわち、発熱コイル８２０は、発熱コイル８２０を構成する素線における軸線Ｏを含む断面の形状が、発熱コイル８２０の巻回方向に変化する不均一部を有している。発熱コイル８２０の断面は、略円形と略楕円形との間で変化する。
【００２３】
本実施形態において、略円形とは、短径の長さに対する長径の長さの比が１．０〜１．２であることをいう。また、略楕円形とは、短径の長さに対する長径の長さの比が１．４以上であることをいう。上記略楕円形において、短径の長さに対する長径の長さの比の上限は特に制限されていないが、ヒータ素子８００を組み立てる際に採用し得る製造方法、あるいは、発熱コイル８２０の耐久性を考慮すると、上記略楕円形における短径の長さに対する長径の長さの比は、２．０以下とすればよい。図３では、略楕円形の断面において、長径を長径Ｂ、短径を短径Ｃとして示している。
【００２４】
なお、長径の長さとは、発熱コイル８２０を構成する素線の断面の外周上の任意の２点間の直線距離が最大になるときの、その距離をいう。また、短径の長さとは、該長径と直交する直線のうち、上記断面の外周と交わる２点間の距離が最大になるときの、その距離をいう。発熱コイル８２０を構成する素線の断面の形状（断面の長径および短径の長さ、およびそれらの比）は、例えば、グロープラグ１０（ヒータ素子８００）を分解して発熱コイル８２０の少なくとも一部を露出させることにより調べることができる。あるいは、Ｘ線ＣＴ観察することにより、非破壊にて内部観察して調べることもできる。いずれの場合にも、例えば、発熱コイル８２０の素線を５０倍に拡大して観察することにより、上記長径および短径の長さを測定すればよい。
【００２５】
本実施形態の発熱コイル８２０は、素線の長径Ｂの方向が、軸線Ｏ方向に平行になるように形成されている。ここで平行とは、発熱コイル８２０の素線の長径Ｂの方向と軸線Ｏの方向とが完全に平行である場合だけでなく、上記長径Ｂと軸線Ｏとが成す角度が、０°〜２２°の範囲となる場合を含むものとする。
【００２６】
図４は、発熱コイル８２０の一部分の外観を拡大して模式的に示す斜視図である。既述したように、発熱コイル８２０は、素線の断面形状が、発熱コイル８２０の巻回方向に変化する不均一部を有している。具体的には、コイル一巻きの間に、上記断面形状が略円形、略楕円形、略円形と変化する第１の不均一部、および、コイル一巻きの間に、上記断面形状が略楕円形、略円形、略楕円形と変化する第２の不均一部、から選択される不均一部を有する。上記した第１の不均一部、および第２の不均一部を合わせて、単に不均一部とも呼ぶ。
【００２７】
ここで、コイル一巻きとは、先端側から後端側へと旋回しながら延びる発熱コイル８２０において、素線が所定のコイル外径にて旋回を開始する先端側の位置を始点としたときに、当該始点と軸線方向に重なる部位間であって、隣接する部位間を旋回しながら延びる巻回部分をいう。本実施形態の発熱コイル８２０には、コイル一巻きの間に、素線の断面形状が略円形と略楕円形との間で変更される変更箇所を２箇所以上含む不均一部が形成されている。このような不均一部は、発熱コイル８２０の総巻数の１０％以上において形成されていることが好ましい。５０％以上で形成されていることがより好ましく、８０％以上で形成されていることがさらに好ましい。不均一部を設けることによる、昇温速度の向上および通電耐久性の向上に係る後述する効果を得る観点からは、不均一部が設けられた巻数の割合が高いほど望ましく、上記始点から数えた全ての一巻きで不均一部が設けられることが最も好ましい。なお、図４では、素線の断面形状が略円形と略楕円形との間で変更される変更箇所を２箇所より多く有する様子、すなわち、コイル一巻きの間に、第１の不均一部と第２の不均一部の双方を有する様子を示している。
【００２８】
（Ａ−４）グロープラグの製造方法：
図５は、本実施形態のグロープラグ１０の製造方法を示す工程図である。グロープラグ１０を製造する際には、まず、シースチューブ８１０および発熱コイル８２０を用意する（ステップＳ１００）。その後、シースチューブ８１０内に発熱コイル８２０等を配置して、ヒータ素子８００を組み立てる（ステップＳ１１０）。
【００２９】
ステップＳ１００で用意するシースチューブ８１０は、先端に開口を有しつつ、この開口に向かって次第に縮径する形状に成形されている。このようなシースチューブ８１０は、例えば、板材を筒状に丸めてアーク溶接したり、板材を深絞りすることにより円筒形部材を作製し、得られた円筒形部材の先端側に絞り加工を施すことにより得られる。また、ステップＳ１００では、発熱コイル８２０として、発熱コイル８２０を構成する素線の断面形状が略円形であって、発熱コイル８２０全体で線径が均一なコイルを用意する。
【００３０】
ステップＳ１１０でヒータ素子８００を組み立てる際には、まず、ステップＳ１００で用意した発熱コイル８２０に制御コイル８３０を溶接し、さらに、制御コイル後端部８３９と中軸２００の中軸先端部２１０とを接合する（図２参照）。そして、ステップＳ１００で用意したシースチューブ８１０内に、中軸２００および制御コイル８３０と一体化した発熱コイル８２０を挿入し、発熱コイル８２０の先端部分とシースチューブ８１０の先端部分とを溶接して、シースチューブ８１０の先端を閉塞させる。溶接は、例えばアーク溶接とすることができる。溶接の後、シースチューブ８１０の内側に絶縁粉末８４０を充填して、ヒータ素子８００の組み立てを完了する。
【００３１】
ヒータ素子８００の組み立て後、ヒータ素子８００に対してスウェージング加工を施す（ステップＳ１２０）。スウェージング加工とは、ヒータ素子８００に対して打撃力を加えてヒータ素子８００を縮径させ、シースチューブ８１０内に充填した絶縁粉末８４０を緻密化させる加工である。スウェージング加工のために用いるスウェージング装置は、ヒータ素子８００の外周に沿って放射状に配置される複数のスウェージングダイスを備え、これらのスウェージングダイスを用いて、ヒータ素子８００の径方向内側に向かう打撃力を加える。スウェージングに伴ってヒータ素子８００に打撃力が加えられると、打撃力がヒータ素子８００内部に伝えられることにより、絶縁粉末８４０が緻密化される。
【００３２】
ヒータ素子８００において、既述したストレート部８６０（図２参照）とは、ステップＳ１２０でスウェージングダイスからの打撃力が加えられた領域である。また、縮径部８６５とは、スウェージング加工の前から、スウェージング後のストレート部８６０における外径よりも小さい外径を有しており、スウェージングダイスからの打撃力が加えられなかった領域である。本実施形態では、制御コイル８３０の全体と、発熱コイル８２０における先端近傍を除く大部分が、グロープラグ完成時のストレート部８６０内に配置されるため、これらの部位は、スウェージング加工時には打撃力を受ける。このように打撃力が伝えられることにより、発熱コイル８２０（および制御コイル８３０）が変形し得る。本実施形態では、スウェージング加工時の条件を調節することにより、ヒータ素子８００内に配置した発熱コイル８２０に、既述した不均一部を形成している。
【００３３】
スウェージング加工時には、上記したようにヒータ素子８００の外周に沿って放射状に配置されるスウェージングダイスを、ヒータ素子８００の径方向内側に向かって繰り返し打ち付ける。このとき、ヒータ素子８００を、軸線Ｏを回転の中心として回転させながら、軸線Ｏ方向に引き抜き、あるいは押し込む動作を繰り返す。したがって、スウェージングの条件としては、具体的には、例えば、スウェージングダイスによる打撃速度、ヒータ素子８００の引き抜きおよび押し込みの動作の速度、ヒータ素子８００を軸線Ｏを中心として回転させる速度、および、スウェージング加工を行なう時間、を挙げることができる。
【００３４】
本実施形態では、発熱コイル８２０に不均一部を設けるために、これらのスウェージングの条件を調節している。具体的には、例えば、ヒータ素子８００の引き抜きおよび押し込みの速度を、スウェージングダイスによる打撃速度よりも速く設定すればよい。ヒータ素子８００の引き抜きおよび押し込みの速度を、スウェージングダイスによる打撃速度よりも速くするほど、発熱コイル８２０における変形量を軸線Ｏ方向に不均一化する程度を大きくできる。あるいは、さらに、ヒータ素子８００の回転速度を、スウェージングダイスによる打撃速度よりも十分に速く設定してもよい。このようにして、ヒータ素子８００に加えられる打撃力の大きさの、軸線Ｏ方向の分布を不均一にして、発熱コイル８２０において、より大きく変形される部分と変形が比較的小さい部分とを作ることで、既述した不均一部を形成することができる。上記したスウェージングの条件を適宜調節して、発熱コイル８２０において変形量の分布が軸線Ｏ方向に不均一となる程度を変更することで、発熱コイル８２０の総巻数のうちの不均一部を有する割合を変更することができる。
【００３５】
なお、スウェージング加工時に加えられる打撃力は、ヒータ素子８００において径方向内側に加えられる力である。そのため、打撃力が不均一であることにより発熱コイル８２０に形成された不均一部において、発熱コイル８２０の素線の断面形状が略楕円形になっている部位では、略楕円形の長径の向きは、軸線Ｏ方向に平行になる。
【００３６】
また、ステップＳ１２０において、制御コイル８３０については、加えられる打撃力が均一になるように、制御コイル８３０が配置される領域に対するスウェージングの条件を調節している。すなわち、ヒータ素子８００の引き抜きおよび押し込みの速度に対して、スウェージングダイスによる打撃速度を十分に速く設定している。なお、スウェージング加工により、発熱コイル８２０および制御コイル８３０では、全体として、コイル外径が小さくなり、線径が太くなり、コイルピッチが広くなるという変化も生じている。
【００３７】
スウェージング加工後、ヒータ素子８００と主体金具５００とを含む部材を組み付けて（ステップＳ１３０）、グロープラグ１０が完成する。具体的には、中軸２００が一体化されたヒータ素子８００を主体金具５００の軸孔５１０に圧入して固定すると共に、主体金具５００の後端部分において、オーリング４６０や絶縁部材４１０を中軸２００に嵌め込み、係合部材１００を主体金具５００の後端に設けられた中軸２００の接続部２９０に締め付ける。また、ステップＳ１３０では、グロープラグ１０に対してエージング処理が施される。具体的には、組み立てられたグロープラグ１０に通電することによって、ヒータ素子８００を発熱させて、ヒータ素子８００の外表面に酸化膜を形成させる。
【００３８】
以上のように構成された本実施形態のグロープラグ１０によれば、発熱コイル８２０において、コイル一巻きの間に既述した不均一部（素線の断面形状が略円形と略楕円形との間で少なくとも２回変化する部位）を形成しているため、通電耐久性および急速昇温性能を向上させることができる。このような効果は、以下の理由により得られると考えられる。
【００３９】
発熱コイル８２０に不均一部を設けることで、発熱コイル８２０の表面積が増加するため、線径が均一な素線からなる発熱コイルを備える場合に比べて、発熱コイル８２０から絶縁粉末８４０を介したシースチューブ８１０への熱伝導効率が向上する(放熱量が増大する）。そのため、発熱コイルに印加される電圧が同じであり、発熱コイルにおける発熱量が同等であっても、ヒータ素子８００（シースチューブ８１０）の昇温速度を速めることができる。
【００４０】
また、本実施形態では、グロープラグ１０において通電による発熱の動作を繰り返すことに伴い、発熱コイル８２０が熱膨張と収縮を繰り返しても、発熱コイル８２０と絶縁粉末８４０との間の接触を、より十分に確保することができる。そのため、発熱コイル８２０から絶縁粉末８４０を介したシースチューブ８１０への放熱を確保して、発熱コイル８２０の過剰な温度上昇を抑え、発熱コイル８２０の損傷（溶損）、およびその結果としての発熱コイルの断線を抑制することができる。
【００４１】
図６は、本実施形態のグロープラグ１０において、繰り返し使用することに伴い、発熱コイル８２０と絶縁粉末８４０との間に隙間が生じる様子を模式的に表わす説明図である。図６に示すように、発熱コイル８２０が不均一部を有し、発熱コイル８２０の表面に凹凸形状が形成される場合には、凸部（図６における領域Ｅ）では隙間が生じるものの、凹部（図６における領域Ｄ）では隙間が生じ難い。これは、発熱コイル８２０の表面の凹部では、発熱コイル８２０から絶縁粉末８４０に対して３方向から熱膨張に起因する力が加わることにより絶縁粉末８４０が押し固められて、発熱コイル８２０と絶縁粉末８４０との接触が維持されやすくなるためである。図６では、発熱コイル８２０から絶縁粉末８４０に対して加えられる熱膨張に起因する力を矢印で示している。
【００４２】
なお、凸部では、発熱コイル８２０から絶縁粉末８４０に対して主として１方向（ヒータ素子８００において径方向外側に向かう方向）の力が加えられる。そのため、凸部では、発熱コイル８２０と絶縁粉末８４０との間に隙間８５５が形成され易くなる。これに対して、本実施形態とは異なり、不均一部を有しない発熱コイルを設ける場合には、発熱コイルの表面全体で、絶縁粉末との間で広く隙間が生じ易くなる。このように、本実施形態では、発熱コイル８２０に不均一部を設けることで、上記凹部において、発熱コイル８２０と絶縁粉末８４０との間の接触を確保することができる。
【００４３】
さらに、本実施形態では、発熱コイル８２０を構成する素線の断面形状が略楕円形である部位において、上記略楕円形の長径が、軸線Ｏ方向に平行に形成されている。そのため、発熱コイル８２０とシースチューブ８１０との距離が短い領域をより多く確保することができ、発熱コイル８２０からシースチューブ８１０に伝えられる熱量を、より多くすることができる。
【００４４】
また、グロープラグ１０では、その設計内容によって、発熱コイル８２０と制御コイル８３０のいずれにおいて通電時に負荷（熱的な負荷）がかかり易いかが変わる。グロープラグ１０における設計内容には、発熱コイル８２０と制御コイル８３０を構成する材料や形状、その結果としての各々のコイルの抵抗値、および、各々のコイルの抵抗値に起因する分圧比（通電時に各々のコイルに印加される電圧比）が含まれる。各コイルを構成する材料により、各コイルの抵抗値（使用温度条件下での抵抗値）が変わる。また、各コイルの形状により、各コイルの抵抗値が変更され、例えば線径を太くするほど抵抗値は下がる。抵抗値の大きいコイルほど、電圧が高くなるため、通電時に発熱量が増加し易く、温度上昇に起因する損傷（溶損）が起こり易くなる。また、コイルを構成する材料の融点が低いほど、温度上昇に起因する損傷（溶損）が起こり易くなる。
【００４５】
上記のような観点から、本実施形態の構成は、特に、制御コイル８３０よりも発熱コイル８２０において通電時に温度上昇に起因する損傷が起こりやすい設計の場合に、通電耐久性を向上させる効果をより高めることができる。このような場合には、発熱コイル８２０の総巻数の１０％以上において不均一部を設けることで、通電耐久性を効果的に高めることができる。
【００４６】
なお、本実施形態のように、スウェージング条件を軸線Ｏ方向に不均一にすると、発熱コイル８２０だけでなく、シースチューブ８１０（ヒータ素子８００）の表面にも凹凸が形成され得る。このようにヒータ素子８００の表面に凹凸が形成されると、ヒータ素子８００の表面積が増大するため、ヒータ素子８００から内燃機関の燃焼室への放熱効率が向上し、グロープラグ１０の性能を高めることができる。
【００４７】
Ｂ．第２の実施形態：
第１の実施形態では、発熱コイル８２０に不均一部を設けたが、異なる構成とすることもできる。第２の実施形態では、発熱コイル８２０に代えて制御コイル８３０において、第１の実施形態と同様の不均一部を形成している。なお、第２の実施形態では、制御コイル８３０が、「課題を解決するための手段」における「通電コイル」に相当する。
【００４８】
このような第２の実施形態のグロープラグは、第１の実施形態と同様にして、スウェージングの際に加えられる打撃力の分布を軸線Ｏ方向に不均一にすることにより製造することができる。ただし、第１の実施形態とは異なり、発熱コイル８２０ではなく制御コイル８３０に対して打撃力を加える際に、打撃力の大きさの軸線Ｏ方向の分布を不均一にすればよい。これにより、制御コイル８３０において、第１の実施形態の発熱コイル８２０と同様の不均一部を形成することができる。その結果、制御コイル８３０の表面積が増加するため、制御コイル８３０から絶縁粉末８４０を介したシースチューブ８１０への放熱量を増加させて、第１の実施形態と同様の効果を得ることができる。
【００４９】
制御コイル８３０において不均一部を設ける構成は、特に、発熱コイル８２０よりも制御コイル８３０において通電時に温度上昇に起因する損傷が起こりやすい設計の場合に、通電耐久性を向上させる効果をより高めることができる。このような場合には、制御コイル８３０の総巻数の１０％以上において不均一部を設けることで、通電耐久性を効果的に高めることができる。
【００５０】
Ｃ．第３の実施形態：
第１の実施形態では、スウェージング条件を調節することにより発熱コイル８２０に不均一部を形成しているが、異なる構成とすることもできる。第３の実施形態では、図５のステップＳ１００において、素線の断面形状が不均一である発熱コイル８２０を用意している。すなわち、スウェージングに先立って、素線の断面形状が不均一である発熱コイル８２０を用いてヒータ素子８００の組み立てを行なっている。このような構成としても、第１の実施形態と同様に、発熱コイル８２０においてコイル一巻きの間に不均一部を有するグロープラグ１０を作製することができ、第１の実施形態と同様の効果を得ることができる。
【００５１】
例えば、スウェージング前の素線の線径が太いほど、同じスウェージング条件であっても、素線の断面形状が楕円化し難い傾向にある。そのため、ステップＳ１００において用意する発熱コイル８２０の素線の断面形状が略円形であって、コイルの線径が不均一である場合には、均一な条件でスウェージングを行なったとしても、素線の断面形状の楕円化の程度が不均一な発熱コイル８２０を得ることができる。また、ステップＳ１００において、素線の断面形状が不均一である発熱コイル８２０を用意する場合には、さらに、ステップＳ１２０におけるスウェージング条件を軸線Ｏ方向に不均一にすることによって、グロープラグ中の発熱コイル８２０の素線の断面形状の不均一状態を調節してもよい。
【００５２】
なお、ステップＳ１００で用意する発熱コイル８２０の断面形状（略円形であるか略楕円形であるか）、および断面形状における不均一状態（素線の断面における長径と短径の長さの比）には、特に制限はない。最終的に得られるグロープラグ１０内の発熱コイル８２０が、コイル一巻きの間に既述した不均一部を有していればよい。
【００５３】
素線の断面形状が不均一であるコイルを予め用意することにより、グロープラグ内のコイルに不均一部を設ける第３の実施形態の構成は、制御コイル８３０に適用してもよい。
【００５４】
Ｄ．変形例：
・変形例１（不均一部の変形）：
上記各実施形態では、発熱コイル８２０または制御コイル８３０において、素線の断面形状が変化する不均一部を設けている。これに対して、発熱コイル８２０と制御コイル８３０の両方に、不均一部を設けてもよい。
【００５５】
また、発熱コイル８２０および／または制御コイル８３０に不均一部を設ける場合に、コイルを構成する素線の断面が略楕円形になる箇所において、楕円の長径は、軸線Ｏに平行でなくてもよい。このような構成は、例えば、第３の実施形態のように、素線の断面形状が不均一である発熱コイル８２０および／または制御コイル８３０を予め用意する際に、用意したコイルにおいて、断面形状が略楕円形である箇所の楕円の長径の向きを、軸線Ｏ方向とは異ならせることにより、実現可能となる。
【００５６】
また、発熱コイル８２０および／または制御コイル８３０に不均一部を設ける場合に、各々のコイルの総巻数に対する、各々のコイルにおいて不均一部が形成された巻数の割合は、１０％未満とすることも可能である。ただし、急速昇温性および通電耐久性を向上させる効果を高めるためには、不均一部を設けるコイルにおいて、当該コイルの総巻数に対して、１０％以上の巻数となる部位に、不均一部を設けることが好ましい。
【００５７】
・変形例２（ヒータ素子の変形）：
上記各実施形態では、ヒータ素子８００は、発熱コイル８２０と制御コイル８３０とを備えている。これに対して、ヒータ素子には制御コイル８３０を設けず、通電により発熱するコイルとして単一の発熱コイル８２０のみを設けてもよい。
【００５８】
また、ヒータ素子は、グロープラグ以外、例えば、暖房器具や調理器具などに用いられても良い。
【００５９】
・変形例３（グロープラグの変形）：
上記各実施形態のグロープラグは、補助熱源としての機能のみを有しているが、さらに燃焼圧センサ機能を有していても良い。この場合には、ヒータ素子を軸線Ｏ方向に移動可能な構造とし、ヒータ素子の変位を検出可能なセンサをグロープラグに具備させることで、燃焼圧センサ機能を実現することができる。
【００６０】
また、上記各実施形態のグロープラグは、内燃機関の始動時等における着火を補助する熱源として用いる他、例えば、ディーゼル微粒子捕集フィルター（ＤＰＦ）の再活性バーナーシステムにおいて用いることもできる。
【実施例】
【００６１】
通電コイルの形状が異なる種々のグロープラグを作製し、急速昇温性能（通電時の昇温速度）および通電耐久性（断線寿命）を評価した結果を以下に説明する。
【００６２】
＜仕様１〜５＞
図７は、発熱コイル８２０の形状を異ならせたグロープラグについて、発熱コイル８２０の断面における「長径の長さ／短径の長さ」（以下、単に「長径／短径」という）の値と評価結果とをまとめて示す説明図である。発熱コイル８２０の断面における「長径／短径」の値によって、グロープラグを仕様１〜５に分類して、評価を行なった。
【００６３】
仕様１〜５のグロープラグは、いずれも、発熱コイル８２０および制御コイル８３０の材料が共通している。具体的には、いずれの仕様のグロープラグも、発熱コイル８２０は鉄−クロム（Ｆｅ−Ｃｒ）合金線により形成し、制御コイル８３０は純ニッケル（純Ｎｉ）線により形成した。ステップＳ１００に先立って用意した発熱コイル８２０および制御コイル８３０の素線の断面形状は、略円形であり、線径も共通している。これらのグロープラグは、仕様ごとにスウェージング条件を異ならせることにより、発熱コイル８２０の形状を異ならせた。なお、制御コイル８３０については、いずれの仕様のグロープラグも、スウェージング後の素線の断面が略円形で共通する形状とした。
【００６４】
スウェージングを経て作製されたグロープラグにおいて、仕様１は、発熱コイル８２０の断面が略円形であり、断面における「長径／短径」の値は、１．０以上、１．２以下の範囲でほぼ均一である。仕様２は、発熱コイル８２０の断面が略楕円形であり、断面における「長径／短径」の値は、１．４以上、１．７以下の範囲でほぼ均一である。仕様３〜５は、発熱コイル８２０において、断面形状が略円形の部位と略楕円形の部位とが形成されており、断面が略円形である部位における「長径／短径」の値は、１．０以上、１．２以下である。仕様３では、断面が略楕円形である部位における「長径／短径」の値は、１．２を超え、１．４以下である。仕様４では、断面が略楕円形である部位における「長径／短径」の値は、１．４以上、１．７以下である。仕様５では、断面が略楕円形である部位における「長径／短径」の値は１．７以上、２．０以下である。
【００６５】
これら仕様１〜５のグロープラグは、以下のように作製した。すなわち、ステップＳ１１０まで同様に組み立てた複数のヒータ素子に対して、発熱コイル８２０の形状においてのみ差異が生じるように互いに異なる条件でスウェージング加工を施し、その後、得られたヒータ素子を分解してコイルを取り出し、線径（長径および短径）を測定して断面形状の解析を行なった。そして、仕様１〜５の条件を満たす発熱コイル８２０を備えるグロープラグを製造するための、仕様ごとのスウェージング条件を決定した。急速昇温性能および通電耐久性の評価には、仕様ごとに上記のように定めたスウェージング条件にて作製したグロープラグを用いた。なお、仕様３〜５のグロープラグはいずれも、発熱コイル８２０の全体にわたって（総巻数の全体にわたって）、不均一部を有していた。また仕様３〜５のグロープラグにおいて、断面が略楕円形の箇所では、楕円の長径は軸線Ｏ方向に平行であった。
【００６６】
（急速昇温性能）
各仕様のグロープラグに電圧を印加して、グロープラグ先端の温度が１０００℃に達するまでに要する時間を測定した。１０００℃に達するまでに要する時間が短いほど、急速昇温性能が優れていると判断できる。各グロープラグに電圧を印加する際には、１１Ｖにて２秒印加後、電圧を５Ｖに変更した。図７に示した「昇温速度（秒）」は、電圧開始から１０００℃に昇温するまでの経過時間を示す。ここでは、仕様ごとに２００個のグロープラグを用いて上記時間を測定し、その平均値を求めた。上記グロープラグ先端の温度は、ヒータ素子の先端から２ｍｍの位置にＲ熱電対を配置して測定した温度である。
【００６７】
（通電耐久性）
各仕様のグロープラグに電圧を印加する動作を繰り返し行ない、通電耐久性を評価した。各グロープラグに電圧を印加する動作は、１１Ｖにて２秒、１１００℃２００秒、常温（２５℃）まで冷却、を１サイクルとして繰り返し行なった。
【００６８】
ヒータ素子を１１００℃で維持するための印加電圧は、以下のように決定した。すなわち、各仕様のグロープラグを用いて上記した通電サイクルを繰り返し行なう際に、最初の２サイクルまでの間に、電圧を変更しながら電圧を印加して、１１００℃に維持するための電圧値を決定した。以後のサイクルでは、上記決定した電圧を印加した。なお、上記ヒータ素子の温度は、ヒータ素子の先端から２ｍｍの位置にＲ熱電対を配置して測定した温度である。ヒータ素子を１１００℃から常温に冷却するための条件（風冷時間）は、各仕様のグロープラグと同じ条件で作製したグロープラグを用いて、ヒータ素子の温度を１１００℃に昇温させた後に、ヒータ素子を常温に冷却するために要する風冷時間を予め調べることにより設定した。
【００６９】
通電耐久性は、グロープラグが備えるコイルが断線するまでのサイクル数によって評価した。コイルの断線は、コイルの抵抗値が無限大になることにより判断できるが、ここでは、グロープラグに流れる電流をサイクルごとに検出して、電流値が予め設定した基準値を下回った時に断線したと判断した。なお、図７に示した通電耐久性を示すサイクル数は、仕様ごとに２０個のグロープラグを用いて上記サイクル数を測定し、その平均値を求めた値である。なお、仕様１〜５のグロープラグについて、Ｘ線観察することにより非破壊にて内部観察したところ、いずれも、断線時には制御コイル８３０ではなく発熱コイル８２０で断線していた。
【００７０】
図７に示すように、仕様４および５のグロープラグは、仕様１〜３のグロープラグに比べて、急速昇温性能、通電耐久性共に優れていた。すなわち、発熱コイル８２０に不均一部を設け、素線の断面が略楕円形である部位の楕円の「長径／短径」の値を１．４以上とすることで、急速昇温性能および通電耐久性を向上させられることを確認できた。
【００７１】
＜仕様６〜１０＞
図８は、制御コイル８３０の形状を異ならせたグロープラグについて、制御コイル８３０の断面における「長径／短径」の値と評価結果とをまとめて示す説明図である。制御コイル８３０の断面における「長径／短径」の値によって、グロープラグを仕様６〜１０に分類して、評価を行なった。
【００７２】
仕様６〜１０のグロープラグは、いずれも、発熱コイル８２０および制御コイル８３０の材料が共通している。具体的には、いずれの仕様のグロープラグも、発熱コイル８２０は鉄−クロム（Ｆｅ−Ｃｒ）合金線により形成し、制御コイル８３０はコバルト−ニッケル（Ｃｏ−Ｎｉ）合金線により形成した。ステップＳ１００に先立って用意した発熱コイル８２０および制御コイル８３０の素線の断面形状は、略円形であり、線径も共通している。これらのグロープラグは、仕様ごとにスウェージング条件を異ならせることにより、制御コイル８３０の形状を異ならせた。なお、発熱コイル８２０については、いずれの仕様のグロープラグも、スウェージング後の素線の断面が略円形で共通する形状とした。
【００７３】
スウェージングを経て作製されたグロープラグにおいて、仕様６は、制御コイル８３０の断面が略円形であり、断面における「長径／短径」の値は、１．０以上、１．２以下の範囲でほぼ均一である。仕様７は、制御コイル８３０の断面が略楕円形であり、断面における「長径／短径」の値は、１．４以上、１．７以下の範囲でほぼ均一である。仕様８〜１０は、制御コイル８３０において、断面形状が略円形の部位と略楕円形の部位とが形成されており、断面が略円形である部位における「長径／短径」の値は、１．０以上、１．２以下である。仕様８では、断面が略楕円形である部位における「長径／短径」の値は、１．２を超え、１．４以下である。仕様９では、断面が略楕円形である部位における「長径／短径」の値は、１．４以上、１．７以下である。仕様１０では、断面が略楕円形である部位における「長径／短径」の値は１．７以上、２．０以下である。
【００７４】
これら仕様６〜１０のグロープラグは、以下のように作製した。すなわち、ステップＳ１１０まで同様に組み立てた複数のヒータ素子に対して、制御コイル８３０の形状においてのみ差異が生じるように互いに異なる条件でスウェージング加工を施し、その後、得られたヒータ素子を分解してコイルを取り出し、線径（長径および短径）を測定して断面形状の解析を行なった。そして、仕様６〜１０のグロープラグを製造するための、仕様ごとのスウェージング条件を決定した。急速昇温性能および通電耐久性の評価には、仕様ごとに上記のように定めたスウェージング条件にて作製したグロープラグを用いた。なお、仕様８〜１０のグロープラグはいずれも、制御コイル８３０の全体にわたって（総巻数の全体にわたって）、不均一部を有していた。また仕様８〜１０のグロープラグにおいて、断面が略楕円形の箇所では、楕円の長径は軸線Ｏ方向に平行であった。
【００７５】
（急速昇温性能）
各仕様のグロープラグに電圧を印加して、グロープラグ先端の温度が８５０℃に達するまでに要する時間を測定した。８５０℃に達するまでに要する時間が短いほど、急速昇温性能が優れていると判断できる。各グロープラグへの印加電圧は１１Ｖとした。図８に示した「昇温速度（秒）」は、電圧開始から８５０℃に昇温するまでの経過時間を示す。ここでは、仕様ごとに２００個のグロープラグを用いて上記時間を測定し、その平均値を求めた。上記グロープラグ先端の温度は、ヒータ素子の先端から２ｍｍの位置にＲ熱電対を配置して測定した温度である。
【００７６】
（通電耐久性）
各仕様のグロープラグに電圧を印加する動作を繰り返し行ない、通電耐久性を評価した。各グロープラグに電圧を印加する動作は、１１Ｖにて１０秒、１３．５Ｖにて１８０秒、常温（２５℃）まで冷却、を１サイクルとして繰り返し行なった。
【００７７】
通電耐久性は、仕様１〜５と同様に、グロープラグが備えるコイルが断線するまでのサイクル数によって評価した。図８に示した通電耐久性を示すサイクル数は、仕様ごとに２０個のグロープラグを用いて上記サイクル数を測定し、その平均値を求めた値である。なお、仕様６〜１０のグロープラグについて、Ｘ線観察することにより非破壊にて内部観察したところ、いずれも、断線時には発熱コイル８２０ではなく制御コイル８３０で断線していた。
【００７８】
図８に示すように、仕様９および１０のグロープラグは、仕様６〜８のグロープラグに比べて、急速昇温性能、通電耐久性共に優れていた。すなわち、制御コイル８３０に不均一部を設け、素線の断面が略楕円形である部位の楕円の「長径／短径」の値を１．４以上とすることで、急速昇温性能および通電耐久性を向上させられることを確認できた。
【００７９】
＜仕様１１〜１５＞
図９は、制御コイル８３０の形状を異ならせたグロープラグについて、制御コイル８３０の総巻数に対する、制御コイル８３０において不均一部が形成された巻数の割合（以下、不均一部の巻数の割合という）と、評価結果とをまとめて示す説明図である。制御コイル８３０における不均一部の巻数の割合によって、グロープラグを仕様１１〜１５に分類して、評価を行なった。
【００８０】
仕様１１〜１５のグロープラグは、いずれも、発熱コイル８２０および制御コイル８３０の材料が共通している。具体的には、いずれの仕様のグロープラグも、発熱コイル８２０は鉄−クロム（Ｆｅ−Ｃｒ）合金線により形成し、制御コイル８３０はコバルト−ニッケル（Ｃｏ−Ｎｉ）合金線により形成した。ステップＳ１００に先立って用意した発熱コイル８２０および制御コイル８３０の素線の断面形状は、略円形であり、線径も共通している。これらのグロープラグは、仕様ごとにスウェージング条件を異ならせることにより、制御コイル８３０における不均一部の巻数の割合を異ならせた。なお、発熱コイル８２０については、いずれの仕様のグロープラグも、スウェージング後の素線の断面が略円形で共通する形状とした。
【００８１】
スウェージングを経て作製されたグロープラグにおいて、制御コイル８３０における不均一部の巻数の割合は、仕様１１が０％、仕様１２が５％、仕様１３が１０％、仕様１４が５０％、仕様１５が１００％である。
【００８２】
これら仕様１１〜１５のグロープラグは、以下のように作製した。すなわち、ステップＳ１１０まで同様に組み立てた複数のヒータ素子に対して、制御コイル８３０の形状においてのみ差異が生じるように互いに異なる条件でスウェージング加工を施し、その後、得られたヒータ素子を分解してコイルを取り出し、線径（長径および短径）を測定して断面形状の解析を行なった。そして、仕様１１〜１５のグロープラグを製造するためのスウェージング条件を決定した。急速昇温性能および通電耐久性の評価には、仕様ごとに上記のように定めたスウェージング条件にて作製したグロープラグを用いた。
【００８３】
なお、仕様１１は、制御コイル８３０の断面が略円形であり、断面における「長径／短径」の値は、１．０以上、１．２以下の範囲でほぼ均一である。また、仕様１２〜１５は、制御コイル８３０の断面が略円形である部位における「長径／短径」の値は１．０以上、１．２以下であり、制御コイル８３０の断面が略楕円形である部位における「長径／短径」の値は１．７以上、２．０以下である。また、仕様１２〜１５のグロープラグにおいて、制御コイル８３０の断面が略楕円形の箇所では、楕円の長径は軸線Ｏ方向に平行であった。
【００８４】
急速昇温性能および通電耐久性は、図８の仕様６〜１０と同様にして評価した。図９に示すように、仕様１３〜１５のグロープラグは、仕様１１および１２のグロープラグに比べて、急速昇温性能および通電耐久性共に優れていた。すなわち、制御コイル８３０に不均一部を設け、制御コイル８３０における不均一部の巻数の割合を１０％以上とすることで、急速昇温性能および通電耐久性を向上させられることを確認できた。
【００８５】
＜仕様１６〜１９＞
図１０は、発熱コイル８２０の形状を異ならせたグロープラグについて、発熱コイル８２０の総巻数に対する、発熱コイル８２０において不均一部が形成された巻数の割合（以下、不均一部の巻数の割合という）と、評価結果とをまとめて示す説明図である。発熱コイル８２０における不均一部の巻数の割合によって、グロープラグを仕様１６〜１９に分類して、評価を行なった。
【００８６】
仕様１６〜１９のグロープラグは、いずれも、発熱コイル８２０および制御コイル８３０の材料が共通している。具体的には、いずれの仕様のグロープラグも、発熱コイル８２０は鉄−クロム（Ｆｅ−Ｃｒ）合金線により形成し、制御コイル８３０は純ニッケル（Ｎｉ）線により形成した。ステップＳ１００に先立って用意した発熱コイル８２０および制御コイル８３０の素線の断面形状は、略円形であり、線径も共通している。これらのグロープラグは、仕様ごとにスウェージング条件を異ならせることにより、発熱コイル８２０における不均一部の巻数の割合を異ならせた。なお、制御コイル８３０については、いずれの仕様のグロープラグも、スウェージング後の素線の断面が略円形で共通する形状とした。
【００８７】
スウェージングを経て作製されたグロープラグにおいて、発熱コイル８２０における不均一部の巻数の割合は、仕様１６が０％、仕様１７が１０％、仕様１８が５０％、仕様１９が１００％である。
【００８８】
これら仕様１６〜１９のグロープラグは、以下のように作製した。すなわち、ステップＳ１１０まで同様に組み立てた複数のヒータ素子に対して、発熱コイル８２０の形状においてのみ差異が生じるように互いに異なる条件でスウェージング加工を施し、その後、得られたヒータ素子を分解してコイルを取り出し、線径（長径および短径）を測定して断面形状の解析を行なった。そして、仕様１６〜１９のグロープラグを製造するためのスウェージング条件を決定した。急速昇温性能および通電耐久性の評価には、仕様ごとに上記のように定めたスウェージング条件にて作製したグロープラグを用いた。
【００８９】
なお、仕様１６は、発熱コイル８２０の断面が略円形であり、断面における「長径／短径」の値は、１．０以上、１．２以下の範囲でほぼ均一である。また、仕様１７〜１９は、発熱コイル８２０の断面が略円形である部位における「長径／短径」の値は１．０以上、１．２以下であり、発熱コイル８２０の断面が略楕円形である部位における「長径／短径」の値は１．７以上、２．０以下である。また、仕様１７〜１９のグロープラグにおいて、発熱コイル８２０の断面が略楕円形の箇所では、楕円の長径は軸線Ｏ方向に平行であった。
【００９０】
急速昇温性能および通電耐久性は、図７の仕様１〜５と同様にして評価した。図１０に示すように、仕様１７〜１９のグロープラグは、仕様１６のグロープラグに比べて、急速昇温性能および通電耐久性共に優れていた。すなわち、発熱コイル８２０に不均一部を設け、発熱コイル８２０における不均一部の巻数の割合を１０％以上とすることで、急速昇温性能および通電耐久性を向上させられることを確認できた。
【００９１】
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００９２】
１０…グロープラグ
１００…係合部材
２００…中軸
２１０…中軸先端部
２９０…接続部
３００…リング
４１０…絶縁部材
４６０…オーリング
５００…主体金具
５１０…軸孔
５２０…工具係合部
５４０…雄ネジ部
６００…パッキン
８００…ヒータ素子
８１０…シースチューブ
８１１…シース管先端部
８１９…シース管後端部
８２０…発熱コイル
８２１…発熱コイル先端部
８２９…発熱コイル後端部
８３０…制御コイル
８３１…制御コイル先端部
８３９…制御コイル後端部
８４０…絶縁粉末
８５０…溶融部
８５５…隙間
８６０…ストレート部
８６５…縮径部
【図１】
2016011802.tif 000003
【図２】
2016011802.tif 000004
【図３】
2016011802.tif 000005
【図４】
2016011802.tif 000006
【図５】
2016011802.tif 000007
【図６】
2016011802.tif 000008
【図７】
2016011802.tif 000009
【図８】
2016011802.tif 000010
【図９】
2016011802.tif 000011
【図１０】
2016011802.tif 000012